(57)【要約】【課題】簡易な構成の撹拌機構および容器により、容易に試料液を攪拌することができる試料液の撹拌方法を提供する。【解決手段】所定の構成を有する測定デバイス及び測定装置を用い、測定デバイスの供給口を通して試料液保持部に試料液を供給する工程、一対の電極間に電圧を印加する工程、一対の電極からの電気信号を測定する工程、電気信号の変化に基づき供給口が試料液中から取り出されたことを検知する工程、試料液保持部内に上記検知に基づき自動的に供給口を通して試料液保持部に気体を供給する工程、を行って試料液を撹拌する。【選択図】図１
2007309834.tif 000002
【特許請求の範囲】
【請求項１】
基体、前記基体の内部に設けられ試料液を保持するための試料液保持部、前記試料液保持部と連通しており前記試料液保持部に前記試料液及び気体を供給するための供給口、前記試料液保持部と連通する開口部、前記試料液保持部内に設けられ前記試料液中に含まれる被検物質と特異的に反応する試薬、並びに前記基体の外側表面に設けられた一対の電極を備えた測定デバイスと、
前記測定デバイスの前記開口部と接続されることにより前記測定デバイスを取付けるための測定デバイス取付け部と、
前記測定デバイス取付け部に取付けられた前記測定デバイスの前記開口部を通して前記試料液保持部内の気体を吸引するための吸引手段と、
前記測定デバイスの前記一対の電極間に電圧を印加するための電圧印加部と、
前記一対の電極からの電気信号を測定するための電気信号測定部と、
を備えた測定装置、を用い、
（Ａ）前記供給口を通して前記試料液保持部に前記試料液を供給する工程と、
（Ｂ）前記一対の電極間に電圧を印加する工程と、
（Ｃ）前記一対の電極からの電気信号を測定する工程と、
（Ｄ）前記電気信号の変化に基づき、前記供給口が前記試料液中から取り出されたことを検知する工程と、
（Ｅ）前記試料液保持部内に、前記工程（Ｄ）における検知に基づき、自動的に前記供給口を通して前記試料液保持部に前記気体を供給する工程と、を含む試料液の撹拌方法。
【請求項２】
前記工程（Ａ）の前に、
（Ｆ）前記一対の電極間に電圧を印加する工程と、
（Ｇ）前記一対の電極からの電気信号を測定する工程と、
（Ｈ）前記電気信号の変化に基づき、前記供給口が前記試料液中に浸漬されたことを検知する工程と、
をさらに含む、請求項１記載の試料液の撹拌方法。
【請求項３】
前記測定デバイスにおいて、
前記一対の電極の先端部と前記開口部との間に前記供給口が設けられている、請求項１記載の試料液の撹拌方法。
【発明の詳細な説明】
【技術分野】
【０００１】
本発明は、試料液と試薬とを攪拌するための攪拌方法に関する。
【背景技術】
【０００２】
従来、気体を用いた試料液の攪拌方法として、容器内にピペッタ等の液体注入用の機構を用い試料液を注入し、その後、ポンプ等の気体注入用の機構を用いて容器内に気体を注入し、容器内に注入された試料液を撹拌する方法があった（例えば、特許文献１及び２参照）。
【特許文献１】特開２００２−２８６６０２号公報
【特許文献２】特開２００３−３４８７８号公報
【発明の開示】
【発明が解決しようとする課題】
【０００３】
しかしながら、上記のような従来の構成では、液体と気体を容器内に供給する際にそれぞれ別々の機構を有し、また、容器内に液体注入用と気体注入用の開口部が別々に設けられているため、撹拌機構及び容器の構成が大型・複雑になるという問題を有していた。
そこで、本発明は、上記のような従来の問題を解決するものであり、簡易な構成の撹拌機構および容器により、容易に試料液を攪拌することができる試料液の撹拌方法を提供することを目的とする。
【課題を解決するための手段】
【０００４】
上記従来の課題を解決するために、本発明は、
基体、前記基体の内部に設けられ試料液を保持するための試料液保持部、前記試料液保持部と連通しており前記試料液保持部に前記試料液及び気体を供給するための供給口、前記試料液保持部と連通する開口部、前記試料液保持部内に設けられ前記試料液中に含まれる被検物質と特異的に反応する試薬、並びに前記基体の外側表面に設けられた一対の電極を備えた測定デバイスと、
前記測定デバイスの前記開口部と接続されることにより前記測定デバイスを取付けるための測定デバイス取付け部と、
前記測定デバイス取付け部に取付けられた前記測定デバイスの前記開口部を通して前記試料液保持部内の気体を吸引するための吸引手段と、
前記測定デバイスの前記一対の電極間に電圧を印加するための電圧印加部と、
前記一対の電極からの電気信号を測定するための電気信号測定部と、
を備えた測定装置、を用い、
（Ａ）前記供給口を通して前記試料液保持部に前記試料液を供給する工程と、
（Ｂ）前記一対の電極間に電圧を印加する工程と、
（Ｃ）前記一対の電極からの電気信号を測定する工程と、
（Ｄ）前記電気信号の変化に基づき、前記供給口が前記試料液中から取り出されたことを検知する工程と、
（Ｅ）前記試料液保持部内に、前記工程（Ｄ）における検知に基づき、自動的に前記供給口を通して前記試料液保持部に前記気体を供給する工程と、を含む試料液の撹拌方法を提供する。
【発明の効果】
【０００５】
本発明によれば、簡易な構成の撹拌機構および容器により、容易に試料液を攪拌することができる試料液の撹拌方法を提供することができる。
【発明を実施するための最良の形態】
【０００６】
本発明の撹拌方法は、
基体、前記基体の内部に設けられ試料液を保持するための試料液保持部、前記試料液保持部と連通しており前記試料液保持部に前記試料液及び気体を供給するための供給口、前記試料液保持部と連通する開口部、前記試料液保持部内に設けられ前記試料液中に含まれる被検物質と特異的に反応する試薬、並びに前記基体の外側表面に設けられた一対の電極を備えた測定デバイスと、
前記測定デバイスの前記開口部と接続されることにより前記測定デバイスを取付けるための測定デバイス取付け部と、
前記測定デバイス取付け部に取付けられた前記測定デバイスの前記開口部を通して前記試料液保持部内の気体を吸引するための吸引手段と、
前記測定デバイスの前記一対の電極間に電圧を印加するための電圧印加部と、
前記一対の電極からの電気信号を測定するための電気信号測定部と、
を備えた測定装置、を用い、
（Ａ）前記供給口を通して前記試料液保持部に前記試料液を供給する工程と、
（Ｂ）前記一対の電極間に電圧を印加する工程と、
（Ｃ）前記一対の電極からの電気信号を測定する工程と、
（Ｄ）前記電気信号の変化に基づき、前記供給口が前記試料液中から取り出されたことを検知する工程と、
（Ｅ）前記試料液保持部内に、前記工程（Ｄ）における検知に基づき、自動的に前記供給口を通して前記試料液保持部に前記気体を供給する工程と、を含む。
このような方法によると、１つの吸引手段を用いて、前記測定デバイスに試料液および気体を供給することができるので、測定装置の簡易化・小型化などを実現することができる。また、前記測定デバイスの前記試料液保持部に試料液および気体を供給するための供給口を同一のもので構成することにより、測定デバイスの簡易化・小型化を実現することができる。さらに、供給口が試料液中から取り出されたことを検知して自動的に供給口を通して試料液保持部に気体を供給するため、容易に試料液保持部に気体を供給することができる。また、誤って試料液が吸引されることがないため、撹拌に不具合を生じることがない。
【０００７】
本発明の撹拌方法は、
前記工程（Ａ）の前に、
（Ｆ）前記一対の電極間に電圧を印加する工程と、
（Ｇ）前記一対の電極からの電気信号を測定する工程と、
（Ｈ）前記電気信号の変化に基づき、前記供給口が前記試料液中に浸漬されたことを検知する工程と、
をさらに含むのが好ましい。
さらに本発明の撹拌方法において用いる前記測定デバイスにおいては、前記一対の電極の先端部と前記供給口とが略一致する高さで設けられていてもよい。
また、前記測定デバイスにおいては、前記一対の電極の先端部と前記開口部との間に前記供給口が設けられていてもよい。後者によれば、測定デバイスを試料液から取り出した際に上記供給口が試料液の液面から外に出たことをより確実に検知することができる。
【０００８】
ここで、上記試薬は、試料液保持部内に乾燥状態で備えられ、試料液保持部内に試料が供給されたときに、試料液に溶解するように配置されていることが好ましい。例えば、ガラス繊維や濾紙等からなる多孔性の担体に試薬の溶液を含浸させた後乾燥させることにより試薬を担持させ、その多孔性の担体を試料液保持部内に設ければよい。また、試料液保持部を構成する壁面に、試薬の溶液を直接塗布した後乾燥することにより試薬を配置してもよい。
【０００９】
上記試薬としては、例えば、酵素、抗体、ホルモンレセプター、化学発光試薬、ＤＮＡ等が挙げられる。特に抗体は、公知の方法により産生することができるため、試薬を作製し易いという点で有利である。例えば、アルブミンなどの蛋白や、ｈＣＧ、ＬＨなどのホルモンを抗原として、マウス・ウサギ等に免疫することにより、前記抗原に対する抗体を得ることができる。抗体としては、アルブミン等の尿中に含まれる蛋白に対する抗体や、ｈＣＧ、ＬＨなどの尿中に含まれるホルモンに対する抗体等が挙げられる。
【００１０】
本発明における試料液としては、尿、血清、血漿、血液等の体液及び培地の上清液等の液体の試料が挙げられる。これらの中で、試料として尿が好ましい。試料が尿であると、非侵襲的に在宅での日常の健康管理を行うことができる。
また、上記被検物質としては、アルブミン、ｈＣＧ、ＬＨ、ＣＲＰ、ＩｇＧ等が挙げられる。
【００１１】
健康管理の最初の段階で行われる尿の定性検査では、ｐＨ、比重、蛋白、糖、潜血、ケトン体、ビリルビン、ウロビリノーゲン、亜硝酸塩、白血球、アスコルビン酸、アミラーゼ、食塩の１２項目について検査が行われる。また、腎機能を分析するという目的では微量アルブミンが、妊娠検査等のマーカーとしては、ｈＣＧ、ＬＨ等のホルモンがある。蛋白や、微量アルブミン、ｈＣＧ、ＬＨ等のホルモンは、抗原抗体反応に基づいた光学測定が適している。ここで、抗原抗体反応に基づいた光学測定としては、免疫比ろう法、免疫比濁法、ラテックス免疫凝集法などが挙げられる。
【００１２】
また、本発明の測定デバイスは、一対の電極を除き、光学的に透明な材料または可視光の吸収を実質的に有していない材料で構成されることが好ましい。例えば、石英やガラス、あるいはポリスチレン、ポリメタクリル酸メチル等が挙げられる。デバイスを使い捨てにする場合には、コストの観点からポリスチレンが好ましい。
【００１３】
測定デバイスに備えられた電極の材料としては、金、白金、パラジウムあるいはそれらの合金または混合物、及びカーボンのいずれかを少なくとも含むものが好ましい。これらの材料は化学的、電気化学的に安定であり、安定した測定を実現することができる。
また、試料液を撹拌するために前記試料液保持部に供給する気体は空気であることが好ましい。このようにすると、別途気体を保持するためのタンクが不要であり、測定装置の簡易化・小型化および低価格などを実現することができる。
以下、図面を用いて、本発明の実施の形態をさらに詳細に説明する。本実施の形態では、試料が尿で、被検物質がヒトアルブミンである場合について説明する。
【００１４】
（１）測定デバイス
まず、本実施の形態に係る測定デバイスの構造について、図１及び２を用いて説明する。図１は本実施の形態に係る測定デバイスの構造を示す斜視図であり、図２は、同測定デバイスの断面図である。
本実施の形態の測定デバイス１は、第１の測定デバイス部材１０８及び第２の測定デバイス部材１０９で構成されており、第１の測定デバイス部材１０８及び第２の測定デバイス部材１０９を組み合わせることにより、試料液保持部１０３として機能する空間が形成されている。試料液保持部１０３は、底面が例えば５ｍｍ角程度、高さが例えば４４ｍｍの四角柱形状を有する。また、測定デバイス１には、測定装置２の測定デバイス着脱部２１１に測定デバイス１を取付けるための開口部１０１及び試料液保持部１０３内に試料及び空気を吸引するための供給口１０２が備えられている。開口部１０１及び供給口１０２は、それぞれ試料液保持部１０３と連通している。また、測定デバイス本体には、光学測定を行うための光学窓部１０４が備えられている。なお、供給口１０２は、本発明における供給口に相当する。
【００１５】
また、測定デバイス１の外面を構成する５つの面のうち、供給口１０２が設置されている面には、一対の導電部分１０５ｃ、１０５ｄが設けられている。そしてこれらの導電部分１０５ｃ、１０５ｄは、開口部１０１から試料液保持部１０３の底面まで延びている。導電部分１０５ｃ、１０５ｄはそれぞれ電極１０５ｅ、１０５ｆを含んでいる。さらに、導電部分１０５ｃ、１０５ｄは、それぞれ接合リード部１０５ａ、１０５ｂをそれぞれ含んでいる。これら電極１０５ｅ、１０５ｆ、及び接合リード部１０５ａ、１０５ｂは絶縁性の樹脂からなるカバー１０６によってその大きさ（長さ）が規定される。例えば、電極および接合リード部の長さはそれぞれ１０ｍｍ、１０ｍｍである。一対の電極１０５ｅ、１０５ｆの先端部が試料液保持部１０３の底面にまで延びているので、供給口１０２が一対の電極１０５ｅ、１０５ｆの先端部と開口部１０１との間に位置している。
【００１６】
以下に本実施の形態の測定デバイスの作製方法について、図３を用いて説明する。図３は本実施の形態に係る測定デバイスの分解斜視図である。
第１の測定デバイス部材１０８、第２の測定デバイス部材１０９は、例えば透明のポリスチレン製である。この透明のポリスチレン製の部材は、例えば金型を用いた成形によって得ることができる。成型には、公知の樹脂成型技術を用いればよい。第２の測定デバイス部材１０９は上側及び右端が開口しており、凹部を有している。ここで、第２の測定デバイス部材１０９の対向する２つの面のうち一方の面と、図３における底面（第１の測定デバイス部材１０８と対向する面）とが光学窓部１０４として機能する。
【００１７】
次に、第２の測定デバイス部材１０９の凹部の底面に試薬保持部１０７を形成する。例えば、光学測定のための試薬であるヒトアルブミンに対する抗体の水溶液を、マイクロシリンジなどを用いて第２の測定デバイス部材１０９の凹部の底面に一定量滴下することにより塗布し、これを室温〜３０℃程度の環境に静置して水分を蒸発させることにより、乾燥状態で試薬を担持することができる。
【００１８】
抗体水溶液の濃度、滴下量及び滴下する部分の面積は、例えば、濃度が８ｍｇ／ｍｌ、滴下量が２５μＬ、滴下する部分の面積が１ｃｍ2である。塗布する試薬を含む水溶液の濃度及び量は、必要とする測定デバイスの特性や第２の測定デバイス部材１０９における形成位置の空間的な制限に応じて適切な値を選択することができる。また、第２の測定デバイス部材１０９における試薬保持部の位置や面積は、試薬の試料に対する溶解性や光学窓部１０４の位置などを鑑みて適宜適切な位置が選択される。
【００１９】
なお、ヒトアルブミンに対する抗体は従来公知の方法により得ることができる。例えば、ヒトアルブミンを免疫したウサギ抗血清を、プロテインＡカラムクロマトグラフィーにより精製した後、透析チューブを用いて透析することにより、抗ヒトアルブミン抗体が得られる。
【００２０】
第１の測定デバイス部材１０８は第２の測定デバイス部材１０９と同様に、金型を用いた成形によって得ることができる。また、それに代えて、板状の樹脂を所望の形状に切削することによっても作製することができる。
【００２１】
さらに、第１の測定デバイス部材１０８の表面には、一対の導電部分１０５ｃ、１０５ｄ、電極１０５ｅ、１０５ｆ、接合リード部１０５ａ、１０５ｂを配置する。例えば一対の導電部分１０５ｃ、１０５ｄと同様の形状の空隙を有するアクリル樹脂製のマスクを第１の測定デバイス部材１０８上に配置し、それを介して金をスパッタした後、マスクを除去することにより一対の導電部分１０５ｃ、１０５ｄを形成することができる。スパッタに代えて、蒸着でも同様の手順で形成することができる。
【００２２】
一対の導電部分１０５ｃ、１０５ｄそれぞれの寸法は特に制限されないが、例えば、それぞれ幅１ｍｍ程度、長さ４５ｍｍ程度、厚み５μｍ程度であればよい。電極１０５ｅ、１０５ｆおよび接合接続リード部１０５ａ、１０５ｂの大きさ（長さ）を規定するために、絶縁性の樹脂からなるカバー１０６を導電部分１０５ｃ、１０５ｄの両端が露出するように貼付する。カバー１０６としては、例えば、幅７ｍｍ程度、長さ２５ｍｍ程度、厚さ０．１ｍｍ程度の、アクリル系の接着剤が塗布されたポリエチレンテレフタレート（ＰＥＴ）製のフィルムを用いることができる。電極１０５ｅ、１０５ｆの長さが、例えばそれぞれ１０ｍｍ、接合リード部１０５ａ、１０５ｂの長さが、例えばそれぞれ１０ｍｍとなるようにカバー１０６を配置する。
【００２３】
導電部分、電極、接合接続リード部の材料、面積、厚さ、形状及び位置等は、必要とするデバイスの特性などに鑑みて、適宜調整することができる。
上記のようにして得られる第１の測定デバイス部材１０８、第２の測定デバイス部材１０９を、図３に記した破線で示す位置関係をもって接合し、測定デバイス本体を組み立てる。各部材の接合部にはエポキシ樹脂などの接着剤を塗布した後、各部材を張り合わせ静置し、接合部を乾燥させることにより組み立てる。また、それに代えて、各部材を接合した後、市販の溶着機を用いて接合部分を熱または超音波によって溶着させてもよい。
以上のようにして図１及び２に示すような構造を有する本実施の形態の測定デバイス１を得ることができる。
【００２４】
（２）測定装置
次に、本実施の形態の測定デバイスを好適に用いることのできる測定装置２の構成について、図４〜６を用いて説明する。図４は、本実施の形態における測定装置２を示す斜視図であり、図５は、測定装置２の構成を示すブロック図であり、図６は測定装置２の構造を説明するための概略断面図である。
【００２５】
図４に示すように、測定装置２は、測定デバイス１を着脱可能に取付けるための測定デバイス取付け部２０１、測定デバイス１への試料の供給を開始するための試料供給ボタン２０２、測定後に測定デバイス１内の試料を、例えば紙カップ等に排出するための試料排出ボタン２０３、及び測定結果を表示するための表示部２０７である液晶ディスプレイを備えている。
【００２６】
また、図６に示すように、測定デバイス取付け部２０１の内側には、測定デバイス着脱部２１１が設けられており、測定デバイス１を取付ける際に、測定デバイス１の開口部１０１内に測定デバイス着脱部２１１が挿入される。このとき、接合部における空気の漏れが発生しないよう、例えばテフロン（登録商標）などのフッ素樹脂やイソプレンゴムなどの弾性を有する樹脂製の封止リングを測定デバイス着脱部２１１の周囲に設け、測定デバイス着脱部２１１と開口部１０１との密着性を高めることが好ましい。
【００２７】
また、図６に示すように、測定装置２は、シリンダ２１０の内側に設けられたプランジャー２０９を、プランジャージョイント２１２を介して動かすためのモーター２０８を備えている。モーター２０８、プランジャー２０９及びシリンダ２１０が、試料液及び空気を測定デバイス１の試料液保持部１０３に吸引するための図５に示した吸引機構４０３に相当する。シリンダ２１０内部にはＯリング２１３が設けられ、シリンダ２１０とプランジャー２０９との間で気密性が保持される。
【００２８】
また、図５に示すように、測定装置２の内部には、受光器２０６により受光された出射光に基づき、試料中に含まれる被検物質を検出または定量するための演算部であるＣＰＵ４０１、及び被検物質であるヒトアルブミンの濃度と受光器２０６により受光される出射光強度との関係を表す検量線が格納されている記憶部であるメモリ４０２、測定デバイス１の電極１０５ｅ、１０５ｆに電圧を印加するための電圧印加部４０８、電極１０５ｅ、１０５ｆから得られた電気信号を測定するための電気信号測定部４０９が設けられている。
【００２９】
本実施の形態における光源２０５としては、６５０ｎｍの波長の光を出射する半導体レーザを用いる。これに代えて、ライトエミッティングダイオード（ＬＥＤ）などを用いてもよい。なお、本実施の形態においては免疫比ろう法による測定を適用し、６５０ｎｍの照射及び受光波長を選択するが、この波長は測定法や測定対象に応じて適宜適切な値が選択され得る。本実施の形態における受光器２０６としては、フォトダイオードを用いる。また、これに代えて、フォトマルチメーターなどを用いてもよい。
【００３０】
本実施の形態における吸引機構４０３は、シリンダ２１０内のプランジャー２０９をリニア型のステップモーターであるモーター２０８により作動させる構成となっている。
ステップモーターは入力された１パルス信号あたりに特定の回転角を回転するモーターであり、パルス数で回転角度を決定できるため、位置決めのためのエンコーダーを必要としない。すなわち、入力パルス数により、プランジャー（ピストン）の動作距離を制御できる。モーターの回転運動は、歯車機構と、雄ネジと雌ネジを組み合わせた直進機構等を用いて直進運動へ変換することにより、プランジャーを作動させる。リニア型のステップモーターは、モーター内に雄ネジと雌ネジを組み合わせた直進機構が組み入れられており、入力パルス数に依存して、棒状の可動部であるプランジャージョイントが直進運動するように構成されている。このため、このプランジャージョイントに直接プランジャーを連結すればよく、構成が簡単となる。
【００３１】
（３）測定方法
次に本実施の形態の測定デバイス１及び測定装置２を用いて試料中の被検物質を測定する手順について図７〜１４を参照しながら説明する。図７〜１４は、本実施の形態の測定デバイス１及び測定装置２を用いて試料中の被検物質を測定する手順を示す概略図である。以下に、試料として尿を用いた例について述べる。なお、本実施の形態においては、測定デバイス１及び測定装置２を、測定デバイス１及び測定装置２の長さ方向が図７における矢印Ｘで示される鉛直方向に略平行になるようにして使用する。
【００３２】
図７は、測定装置２に測定デバイス１を取付ける前の状態を示している。まず、ユーザは、図中の矢印の方向に測定デバイス１を測定装置２に装着する。この際、測定装置２の測定デバイス着脱部２１１と測定デバイス１の開口部１０１とが接合するように、測定デバイス取付け部２０１を通して測定デバイス１を測定装置２に装着する（図８）。これにより、測定デバイス１の１対の電極１０５ｅ、１０５ｆに電気的に導通するように、接合リード部１０５ａ、１０５ｂと測定デバイス取付け部２０１内部に設けられた２つの端子とがそれぞれ接触する。
【００３３】
このとき、測定装置２内に設けられたマイクロスイッチからなる測定デバイス挿入検知スイッチ（図示せず）が作動して、制御部として機能するＣＰＵ４０１が測定デバイス１の挿入を検知し、電圧印加部４０８により測定デバイス１の一対の電極１０５ｅ、１０５ｆ間に電圧（例えば、電極１０５ｅが電極１０５ｆに比べて＋０．５Ｖとなる電圧）が印加される。
【００３４】
次に、ユーザは、紙カップ３に排出された尿３０１中に、測定デバイス１のうち少なくとも供給口１０２を浸漬させる（図９）。尿が一対の電極１０５ｅ、１０５ｆに接触すると、両電極間に電流が流れるため、それに起因する電気信号の変化、例えば抵抗値の低下を電気信号測定部４０９が検出する。
【００３５】
次に、この状態で、ユーザが試料供給ボタン２０２を押すことにより、ＣＰＵ４０１が吸引機構４０３を作動させる。具体的には、測定装置２内のモーター２０８が駆動し、シリンダ２１０内側にあるプランジャー２０９がプランジャージョイント２１２を介して引きあげられることにより、測定デバイス１の供給口１０２から試料液保持部１０３内に所定量（例えば、１００μＬ）の尿３０１が供給される（図１０）。プランジャー２０９をその位置に保持することにより、試料液保持部１０３内に尿が保持され、供給口１０２から漏れ出したり、シリンダ２１０内に吸引されたりすることがない。モーター２０８が停止し吸引機構４０３による吸引動作が終了すると、ＣＰＵ４０１は、試料液保持部１０３内への空気の供給が完了したことを通知するメッセージを表示部２０７に表示させる。
【００３６】
試料液保持部１０３内に供給された尿は、試薬保持部１０７に担持された乾燥状態の試薬である抗ヒトアルブミン抗体を溶解し始め、また同時に尿中の抗原であるヒトアルブミンと抗ヒトアルブミン抗体との免疫反応が進行し始める。
【００３７】
次に、ユーザが、開口部１０２を尿３０１中から引き上げる（図１１）。一対の電極１０５ｅ、１０５ｆが尿から離れた場合、一対の電極１０５ｅ、１０５ｆ間の抵抗が増加することにより電流が流れなくなる。よって、電気信号測定部４０９が電気信号の変化、例えば抵抗値の変化を再度検知するので、その検知に伴い、ＣＰＵ４０３が再び吸引機構４０３を作動し、尿が供給された試料液保持部１０３に空気を供給させる。一対の電極１０５ｅ、１０５ｆの先端部と開口部１０１との間に供給口１０２が設けられているため、一対の電極１０５ｅ、１０５ｆ間の電気信号の変化を検出することにより、供給口１０２が確実に尿中から引き上げられたことを検知することができる。
【００３８】
具体的には、測定装置２内のモーター２０８が駆動し、シリンダ２１０内側にあるプランジャー２０９がプランジャージョイント２１２を介して一定速度（例えば１１４０μＬ／ｓ）でさらに引き上げられることにより、測定デバイス１の供給口１０２から試料液保持部１０３内に所定量（例えば、９００μＬ）の空気が供給される（図１２）。供給口１０２から空気が供給されることにより試料液保持部１０３内に保持された尿中で気泡３０２が発生し、それにより尿と試薬とが攪拌される。モーター２０８が停止し吸引機構４０３による吸引動作が終了すると、ＣＰＵ４０１は、試料液保持部１０３内への空気の供給が完了したことを通知するメッセージを表示部２０７に表示させるとともに、計時部４０４であるタイマーによる計時を開始させる。
【００３９】
このように、供給口１０２が尿３０１から引き上げられたことを検知することで、撹拌のための空気を試料液保持部１０３に供給する際に、誤って尿３０１を試料液保持部１０３に吸引することを防ぐことができるため、撹拌の不具合を防ぐことができる。また、供給口１０２が尿３０１から引き上げられたことを検知することにより自動的に空気が試料液保持部１０３に供給されるので、ユーザの作業を減らすことができる。
【００４０】
次に、計時部４０４からの信号によって、試料保持部１０３内への空気の供給完了から所定時間（例えば、２分）経過したことをＣＰＵ４０１が判断すると、ＣＰＵ４０１は光源２０５による光照射を実行させる（図１３）。
光源２０５から出射したレーザ光が光学窓部１０４を通って試料液保持部１０３内の尿に照射され、尿中で散乱され光学窓部１０４から出射した光を受光器２０６により受光する。ＣＰＵ４０１はメモリ４０２に格納されている出射光強度とヒトアルブミン濃度との関係を表す検量線を読み出し、それを参照することによりＣＰＵ４０１が受光器２０６により受光された出射光強度をヒトアルブミン濃度に換算する。得られたヒトアルブミン濃度は表示部２０７に表示される。表示部２０７にヒトアルブミンが表示されることにより、ユーザはヒトアルブミン濃度測定が完了したことがわかる。好ましくは、得られたヒトアルブミン濃度は、計時部４０４により計時された時刻とともにメモリ４０２に保存される。
【００４１】
次に、ユーザは、紙カップ３の上方に測定デバイス１の供給口１０２が位置するように、測定デバイス１が装着された測定装置２または紙カップ３を動かす。その状態で、ユーザが試料排出ボタン２０３を押すと、モーター２０８が駆動し、シリンダ２１０内側にあるプランジャー２０９がプランジャージョイント２１２を介して押し下げられることにより、試料保持部１０５内の尿が紙カップ３内に排出される（図１４）。ユーザは、紙カップ３内に排出された尿３０１を流し捨て、その後紙カップ３も廃棄する。また、ユーザは、測定デバイス１を矢印で示す方向に抜き取り廃棄する。
【００４２】
さらに、得られたヒトアルブミン濃度は、記録部４０５によりＳＤカードなどの記憶媒体に記録することができる。取り外し可能な記憶媒体に保存することにより、測定結果を測定装置２から容易に取り出すことができるので、前記記憶媒体を分析専門業者に持参または郵送して、分析を依頼することができる。
【００４３】
さらに、得られたヒトアルブミン濃度は、送信部４０６により測定装置２外に送信することができる。これにより、測定結果を、病院内の分析関連部門または分析関連業者等に送信し、それを前記分析関連部門または分析関連業者などにおいて分析することができるので、測定から分析までの時間を短縮することができる。
さらにまた、前記分析関連部門または分析関連業者などにおいて分析した結果を受信するための受信部４０７を備えている。これにより、分析結果を迅速にユーザにフィードバックすることができる。
【００４４】
なお、上記実施の形態において、吸引機構４０３として、シリンダ２１０内のプランジャー２０９をリニア型のステップモーターであるモーター２０８により作動さデバイス構成を用いたが、これに限らない。リニア型以外のステップモーターや、直流モーター等を用いてもよい。
【００４５】
また、上記の実施の形態において、ユーザが試料供給ボタン２０２を押すことにより、尿が供給されるようにしたが、これに限らず、ＣＰＵ４０１が一対の電極１０５ｅ、１０５ｆ間の電気信号の変化を検出することにより、測定デバイス１のうち少なくとも供給口１０２が尿中に浸漬したことを検知すると、自動的に、ＣＰＵ４０１が吸引機構４０３を作動させて尿が供給されるようにしてもよい。
【００４６】
また、上記実施の形態において、紙カップ３に尿３０１を採取したが、これに限らず、プラスティック製のカップ等の運搬可能な容器や、便器内に設けられた受尿容器等を用いてもよい。
また、上記実施の形態において、試料液保持部１０３内への尿及び空気の供給が完了したことを通知するメッセージを表示部２０７に表示させたが、これに代えて、ブザー等の音声により通知してもよい。
【産業上の利用可能性】
【００４７】
本発明の撹拌方法によれば、小型かつ簡易的な攪拌機構が利用できるため、分析・検査分野において有用である。
【図面の簡単な説明】
【００４８】
【図１】本発明の一実施の形態に係る測定デバイスの構成を示す斜視図である。
【図２】同測定デバイスの概略断面図である。
【図３】同測定デバイスの分解斜視図である。
【図４】本発明の一実施の形態に係る測定装置の構成を示す斜視図である。
【図５】同測定装置の構成を示すブロック図である。
【図６】同測定装置の構成を示す断面図である。
【図７】同実施の形態の測定デバイス及び測定装置を用いて試料中の被検物質を測定する手順における一工程を示す概略図である。
【図８】同実施の形態の測定デバイス及び測定装置を用いて試料中の被検物質を測定する手順における他の工程を示す概略図である。
【図９】同実施の形態の測定デバイス及び測定装置を用いて試料中の被検物質を測定する手順におけるさらに他の工程を示す概略図である。
【図１０】同実施の形態の測定デバイス及び測定装置を用いて試料中の被検物質を測定する手順におけるさらに他の工程を示す概略図である。
【図１１】同実施の形態の測定デバイス及び測定装置を用いて試料中の被検物質を測定する手順におけるさらに他の工程を示す概略図である。
【図１２】同実施の形態の測定デバイス及び測定装置を用いて試料中の被検物質を測定する手順におけるさらに他の工程を示す概略図である。
【図１３】同実施の形態の測定デバイス及び測定装置を用いて試料中の被検物質を測定する手順におけるさらに他の工程を示す概略図である。
【図１４】同実施の形態の測定デバイス及び測定装置を用いて試料中の被検物質を測定する手順におけるさらに他の工程を示す概略図である。
【符号の説明】
【００４９】
１  測定デバイス
２  測定装置
３  紙カップ
１０１  開口部
１０２  供給口
１０３  試料液保持部
１０４  光学窓部
１０５ａ、１０５ｂ  接合リード部
１０５ｃ、１０５ｄ  導電部分
１０５ｅ、１０５ｆ  電極
１０６  カバー
１０７  試薬保持部
１０８  第１の測定デバイス部材
１０９  第２の測定デバイス部材
２０１  測定デバイス取付け部
２０２  試料供給ボタン
２０３  試料排出ボタン
２０５  光源
２０６  受光器
２０７  表示部
２０８  モーター
２０９  プランジャー
２１０  シリンダ
２１１  測定デバイス着脱部
２１２  プランジャージョイント
２１３  Ｏリング
３０１  尿
３０２  気泡
４０１  ＣＰＵ
４０２  メモリ
４０３  吸引機構
４０４  計時部
４０５  記録部
４０６  送信部
４０７  受信部
４０８  電圧印加部
４０９  電気信号測定部
【図１】
2007309834.tif 000003
【図２】
2007309834.tif 000004
【図３】
2007309834.tif 000005
【図４】
2007309834.tif 000006
【図５】
2007309834.tif 000007
【図６】
2007309834.tif 000008
【図７】
2007309834.tif 000009
【図８】
2007309834.tif 000010
【図９】
2007309834.tif 000011
【図１０】
2007309834.tif 000012
【図１１】
2007309834.tif 000013
【図１２】
2007309834.tif 000014
【図１３】
2007309834.tif 000015
【図１４】
2007309834.tif 000016